(57)【要約】【課題】環状側板のピン支持孔に圧入されたピンの端部を環状側板に固定する際に、ピンの端部を加締めることなく環状側板にピンの端部を固定することのできるころ軸受用転動体保持器とその組立方法を提供する。【解決手段】環状側板４に穿設されたピン支持孔４ａにピン３の端部を圧入するに際して、ピン３の端面を旋削加工してピンの両端部に薄肉円筒部６を形成し、次いで環状側板４のピン支持孔４ａにピン３の両端部を圧入した後、薄肉円筒部６を外径方向に変形させる。【選択図】図２
2006097794.tif 000002
【特許請求の範囲】
【請求項１】
ころ軸受の転動体を保持するものであって、前記転動体の中心部に形成されたピン挿通孔を挿通する複数本のピンと、該ピンの端部と密嵌する複数のピン支持孔を有する一対の環状側板とからなるころ軸受用転動体保持器において、
前記ピンの外径とほぼ同径の外径を有する薄肉円筒部を前記ピンの端面に前記ピンと同軸に設けたことを特徴とするころ軸受用転動体保持器。
【請求項２】
ころ軸受の転動体に形成されたピン挿通孔を挿通する複数本のピンと、該ピンを介して前記転動体を回転自在に支持する一対の環状側板とからなるころ軸受用転動体保持器の組立方法であって、
前記環状側板に穿設されたピン支持孔に前記ピンの端部を圧入するに際して、前記ピンの端面を旋削加工して前記ピンの端部に薄肉円筒部を形成し、次いで前記ピンの端部を前記ピン支持孔に圧入した後、前記薄肉円筒部を外径方向に変形せしめて前記ピンの端部を前記環状側板に固定するようにしたことを特徴とするころ軸受用転動体保持器の組立方法。
【請求項３】
前記薄肉円筒部を円周方向に分割する複数の割りを前記ピンに設けて前記ピンの端部を前記環状側板に固定するようにしたことを特徴とする請求項２記載のころ軸受用転動体保持器の組立方法。
【請求項４】
前記薄肉円筒部の外周面と密着する溝部を前記環状側板に設けて前記ピンの端部を前記環状側板に固定するようにしたことを特徴とする請求項２又は３記載のころ軸受用転動体保持器の組立方法。
【発明の詳細な説明】
【技術分野】
【０００１】
本発明は、ころ軸受の転動体を保持する転動体保持器とその組立方法に関し、特に、ピンタイプと称されるころ軸受用転動体保持器とその組立方法に関する。
【背景技術】
【０００２】
ころ軸受の転動体を保持する転動体保持器には、例えばもみ抜き形、ピン形などの種々の形式のものがあり、このうちピンタイプと称される転動体保持器は、図５及び図６に示すように、転動体１の中心部に形成されたピン挿通孔１ａを挿通する複数本のピン３（図では１本のみを図示）と、これらのピン３を介して転動体１を回転自在に支持する一対の環状側板４とから構成されている。
【０００３】
このような転動体保持器は、従来、環状側板４に穿設されたピン支持孔４ａ（図６参照）にピン３の端部を圧入した後、ピン３の端部と環状側板４とを溶接接合して組み立てられる場合が多い（特許文献１参照）。このため、ピン３の端部や環状側板４に脱脂洗浄を溶接前に施す必要があり、組立工数の増加を招くなどの問題がある。また、溶接時のスパッタなどの工法上、心配される点もある。
【０００４】
そこで、本願特許出願人は、図７に示すように、環状側板４のピン支持孔４ａにピン３の端部を圧入した後、ピン３の端部をその周囲が塑性変形するように加締め治具５により加締めて環状側板４にピン３の端部を固定するようにした転動体保持器の組立方法を先に出願した（特願２００４−１２９９５９号）。
【特許文献１】特開平１１−３２５０６３号公報
【発明の開示】
【発明が解決しようとする課題】
【０００５】
このような組立方法によると、ピン３と環状側板４とを溶接せずにピンタイプの転動体保持器を組み立てることができるが、ピン３の端部を加締めて環状側板４にピン３の端部を固定するときには、転動体１の端面と環状側板４の内側面とのギャップを一定とするために、例えば環状側板４と転動体１との間にシムを挿入した状態でピン３の端部を加締める必要がある。しかし、環状側板４と転動体１との間にシムを挿入した状態でピン３の端部を加締めると、環状側板４と転動体１との間からシムを抜き取ることができなくなったり、シムと接触する環状側板４の内側面や転動体１の端面に擦り傷等が発生したりするおそれがあった。
【０００６】
本発明は、このような問題点に着目してなされたものであり、環状側板のピン支持孔に圧入されたピンの端部を環状側板に固定する際に、ピンの端部を加締めることなく環状側板にピンの端部を固定することのできるころ軸受用転動体保持器とその組立方法を提供することを目的とするものである。
【課題を解決するための手段】
【０００７】
上記の目的を達成するために、請求項１に係る発明は、ころ軸受の転動体を保持するものであって、前記転動体の中心部に形成されたピン挿通孔を挿通する複数本のピンと、該ピンの端部と密嵌する複数のピン支持孔を有する一対の環状側板とからなるころ軸受用転動体保持器において、前記ピンの外径とほぼ同径の外径を有する薄肉円筒部を前記ピンの端面に前記ピンと同軸に設けたことを特徴とする。
【０００８】
請求項２の発明は、ころ軸受の転動体に形成されたピン挿通孔を挿通する複数本のピンと、該ピンを介して前記転動体を回転自在に支持する一対の環状側板とからなるころ軸受用転動体保持器の組立方法であって、前記環状側板に穿設されたピン支持孔に前記ピンの端部を圧入するに際して、前記ピンの端面を旋削加工して前記ピンの端部に薄肉円筒部を形成し、次いで前記ピンの端部を前記ピン支持孔に圧入した後、前記薄肉円筒部を外径方向に変形せしめて前記ピンの端部を前記環状側板に固定するようにしたことを特徴とする。
【０００９】
請求項３の発明は、請求項２記載のころ軸受用転動体保持器の組立方法において、前記薄肉円筒部を円周方向に分割する複数の割りを前記ピンに設けて前記ピンの端部を前記環状側板に固定するようにしたことを特徴とする。
請求項４の発明は、請求項２又は３記載のころ軸受用転動体保持器の組立方法において、前記薄肉円筒部の外周面と密着する溝部を前記環状側板に設けて前記ピンの端部を前記環状側板に固定するようにしたことを特徴とする。
【発明の効果】
【００１０】
本発明によれば、ピンの端面を旋削加工してピンの端部に薄肉円筒部を形成し、次いで環状側板のピン支持孔にピンの端部を圧入した後、薄肉円筒部を外径方向に変形させることにより、薄肉円筒部が環状側板のピン支持孔に密着する。したがって、環状側板のピン支持孔に圧入されたピンの端部を環状側板に固定する際に、環状側板を塑性変形させてピンの端部を加締めることなく環状側板にピンの端部を固定することができる。
【発明を実施するための最良の形態】
【００１１】
以下、本発明の実施の形態を図面に基づいて説明する。
図１に、本発明に係るころ軸受用転動体保持器の一実施形態を示す。図１において、符号１は円筒ころ軸受の転動体、符号２は転動体１を保持する本発明の一実施形態に係る転動体保持器であって、この転動体保持器２は、転動体１の中心部に形成されたピン挿通孔１ａを挿通する複数本のピン（図では１本のみを図示）３と、これらのピン３を介して転動体１を回転自在に支持する一対の環状側板４とから構成されている。
【００１２】
環状側板４には、ピン３の端部を支持する複数のピン支持孔４ａが環状側板４の円周方向に等間隔で穿設されている。これらのピン支持孔４ａにはピン３の端部が圧入されており、ピン支持孔４ａに圧入されたピン３の端部は、ピン３の端部に設けられた薄肉円筒部６を外径方向に変形させ、薄肉円筒部６の外周面を環状側板４のピン支持孔４ａに密着させることによって環状側板４に固定されている。
【００１３】
次に、このようなピンタイプの転動体保持器２を組み立てる場合の手順について図２を参照して説明する。
ころ軸受で使用されるピンタイプの転動体保持器を組み立てる場合は、先ず、ピンの端面を中ぐり旋盤等で凹状に旋削加工して、図２（ａ）に示すような薄肉円筒部６をピン３の両端部に形成する。次に、図２（ｂ）に示すように、転動体１と環状側板４との間にシム７を挿入し、この状態でピン３の両端部を圧入治具８で環状側板４のピン支持孔４ａに圧入する。そして、ピン３の両端部を環状側板４のピン支持孔４ａに圧入したならば、図２（ｃ）に示すように、ピン３の両端部に形成された薄肉円筒部６に拡径治具９を押し当て、この拡径治具９により薄肉円筒部６をその外径方向に変形させる。
【００１４】
このように、環状側板４に穿設されたピン支持孔４ａにピン３の端部を圧入するに際して、ピン３の端面を旋削加工してピンの両端部に薄肉円筒部６を形成し、次いで環状側板４のピン支持孔４ａにピン３の両端部を圧入した後、薄肉円筒部６を外径方向に変形させることにより、図２（ｄ）に示すように、薄肉円筒部６が環状側板４のピン支持孔４ａに密着する。したがって、上述した本発明の一実施形態では、環状側板４のピン支持孔４ａに圧入されたピン３の端部を環状側板４に固定する際に、ピン３の端部を加締めることなく環状側板４にピン３の端部を固定することができる。
【００１５】
なお、上述した実施の形態では円筒ころ軸受の組立方法に本発明を適用した場合を例示したが、本発明はこれに限定されるものではなく、例えば円錐ころ軸受を組み立てる場合にも本発明を適用できることは勿論である。さらに、上述した実施の形態では薄肉円筒部６をピン３の両端部に形成したが、ピン３の一端部のみに薄肉円筒部６を形成してもよい。
【００１６】
また、図３に示すように、薄肉円筒部６を円周方向に分割する複数の割り（スリット）１０をピン３に設けてピン３の端部を環状側板４に固定するようにしてもよい。このように、薄肉円筒部６を円周方向に分割する複数の割り１０をピン３に設けることにより、薄肉円筒部６が外径方向に変形し易くなるので、ピン３の端部を環状側板４のピン支持孔４ａに圧入する圧入工程と薄肉円筒部６を外径方向に変形させる拡径工程とを図２（ｃ）に示すような治具９を用いて行なうことができる。
【００１７】
さらに、図４に示すように、薄肉円筒部６の外周面と密着する溝部１２を環状側板４に設けてピン３の端部を環状側板４に固定するようにしてもよい。このように、薄肉円筒部６の外周面と密着する溝部１２を環状側板４に設けることにより、薄肉円筒部６と環状側板４との密着面積が増大するので、ピン３の端部を環状側板４により強固に固定することができる。
【図面の簡単な説明】
【００１８】
【図１】本発明の一実施形態に係るころ軸受用転動体保持器の一部を示す断面図である。
【図２】本発明に係るころ軸受用転動体保持器の組立方法を説明するための図である。
【図３】図２に示す組立方法の第１の変形例を説明するための図である。
【図４】図２に示す組立方法の第２の変形例を説明するための図である。
【図５】ころ軸受に使用される転動体保持器の一部を示す側面図である。
【図６】図５のVI−VI断面図である。
【図７】特願２００４−１２９９５９号に開示されたころ軸受用転動体保持器の組立方法を説明するための図である。
【符号の説明】
【００１９】
１  転動体
１ａ  ピン挿通孔
３  ピン
４  環状側板
４ａ  ピン支持孔
６  薄肉円筒部
１０  割り
１２  溝部
【図１】
2006097794.tif 000003
【図２】
2006097794.tif 000004
【図３】
2006097794.tif 000005
【図４】
2006097794.tif 000006
【図５】
2006097794.tif 000007
【図６】
2006097794.tif 000008
【図７】
2006097794.tif 000009